(57)【要約】【課題】画像データを転送、受信し出力装置で、出力装置の特性により出力結果の違いを用意に補正、調整する。【解決手段】画像処理を施す前の画像データを記憶する記憶手段と、画像データに施す画像処理設定を画像ページごとに管理記憶する記憶手段を有し、画像データと画像処理設定データを送信する画像蓄積装置と、ページごとの画像データと画像処理設定データを受信し、記憶する手段を有し、前記受信した画像データに前記変更、補正した画像処理設定を施して画像形成する画像処理装置。【選択図】　　　　　図１
2004032614.tif 000002
【特許請求の範囲】
【請求項１】
複数の画像処理設定を受け付ける設定部と、画像データを受信する画像入力処理部と、前記受信した画像データに、前記設定部を介して設定された複数の画像処理設定に基づいて複数の所定の画像処理を施す画像処理部と、前記入力された画像データ、および、前記複数の画像処理設定を記憶する記憶部と、前記記憶部に記憶された画像データの各ページ毎に前記記憶された画像処理設定を記憶管理する管理部とを有し、前記記憶部に記憶された画像処理前の画像データと画像データ毎の画像処理設定を合わせて出力するデータ出力手段を有することを特徴とする画像蓄積装置。
【請求項２】
請求項１に記載の画像蓄積装置が出力する前記データ出力手段のデータを受信する受信手段を有し、前記受信データの画像データと画像データ毎の画像処理設定を記憶する記憶部を有し、前記画像データ毎の画像処理設定で前記画像データに画像処理を施して画像形成する画像形成装置。
【請求項３】
前記受信したデータの画像処理設定を変更する変更入力手段を有すること特徴とする請求項２に記載の画像形成装置。
【請求項４】
前記画像形成装置の画像形成特性データを有し画像形成特性データと前記受信したデータの画像処理設定を合わせて画像処理を施すことを特徴とする請求項２に記載の画像形成装置。
【発明の詳細な説明】
【０００１】
【発明の属する技術分野】
複写機、ファクシミリ、プリンタ、スキャナなど、入力された画像に対して所定の画像処理を施して出力あるいは蓄積するためのイメージサーバ装置に関する。
【０００２】
【従来の技術】
従来のイメージサーバ装置は図７に示した様に、入力画像データを受信する画像入力部１０１と、前記画像入力部１０１で受信した画像データに対して所定の画像処理（変倍、濃度変換、色変換など）を行う画像処理部１０２、前記画像処理部で処理された画像データを送信する画像出力部１０３、前記画像処理部１０２で処理された画像データを蓄積する記憶部１０４および、前記各部を制御する制御部１０５によって構成される。
【０００３】
以上の構成のイメージサーバ装置において、まず通常の動作を説明する。動作開始の指令が制御部１０５に入力されると、画像入力部１０１は画像データの受信を開始し、受信した画像データを画像処理部１０２へ対して所定の手順で転送する。
【０００４】
画像処理部１０２は前記画像入力部１０１から転送されてくる画像データに対して、不図示の設定手段により設定された処理を施して画像出力部１０３に転送する。画像出力部１０３は前記画像処理部１０２から送られてくる画像データを、画像出力先に対して所定の手順に従い送信する。
【０００５】
次に、画像を記憶する場合について説明する。入力開始の指令が制御部１０５に入力されると、画像入力部１０１は画像データの受信を開始し、受信した画像データを画像処理部１０２へ対して所定の手順で転送する。画像処理部１０２は前記画像入力部１０１から転送されてくる画像データに対して、不図示の設定手段により設定された処理を施して画像記憶部１０４に転送する。そして、出力開始の指令が制御部１０５に入力されると、画像記憶部１０４は画像出力部１０３へ画像を転送する。画像出力部１０３は前記画像記憶部１０４から送られてくる画像データを、画像出力先に対して所定の手順に従い送信する。
【０００６】
【発明が解決しようとする課題】
以上述べてきたように、従来のイメージサーバ装置においては、所定の画像処理を施した後に画像を記憶しておき、指令に従って記憶して起きた画像を出力している。そこで、一旦記憶しておいた画像に対し、倍率の変更や、その他の画像処理の変更や追加、削除などを行う場合、再度画像を受信する必要がある。そのため、画像入力元がスキャナであれば、原稿の再読み込み、コンピュータなどのデータ出力機器であれば、再送信といった手間と時間が必要となる。
【０００７】
また、スキャナなどで複数の原稿を読み込んだ場合には、ページ毎に倍率などを調整することはできなかった。更には、イメージサーバ装置に記憶した画像を外部に転送した場合、転送先の出力特性、例えば、画像形成装置の色再現特性などの違いにより、同じ出力を得ることは困難であった。
【０００８】
【課題を解決するための手段】
複数の画像処理設定を受け付ける設定部と、画像データを受信する画像入力処理部と、前記受信した画像データに、前記設定部を介して設定された複数の画像処理設定に基づいて複数の所定の画像処理を施す画像処理部と、前記入力された画像データ、および、前記複数の画像処理設定を記憶する記憶部と、前記記憶部に記憶された画像データの各ページ毎に前記記憶された画像処理設定を記憶管理する管理部とを設け、前記記憶部に記憶された画像処理前の画像データと画像データ毎の画像処理設定を合わせて出力するデータ出力手段を持つ画像蓄積装置と、更に、前記画像蓄積装置が出力する前記データ出力手段のデータを受信する受信手段をを有し、前記受信データの画像データと画像データ毎の画像処理設定を記憶する記憶部を有し、前記画像データ毎の画像処理設定で前記画像データに画像処理を施して画像形成する画像形成装置により上記問題を解決する。
【０００９】
【発明の実施の形態】
（実施例１）
図２は本発明を実施した画像形成装置の要部断面図である。本実施例の画像形成装置は電子写真方式とし、さらに本発明が特に有効であると考えられる複数の画像形成部を並列に配するカラー画像出力装置として説明していく。
【００１０】
画像出力部１Ｐは大別して、画像形成部１０（４つのステーションａ、ｂ、ｃ、ｄが並設されており、その構成は同一である。）、給紙ユニット２０、中間転写ユニット３０、定着ユニット４０及び制御ユニット（不図示）から構成される。さらに、個々のユニットについて詳しく説明する。画像形成部１０は次に述べるような構成になっている。像担持体としての感光ドラム１１ａ、１１ｂ、１１ｃ、１１ｄがその中心で軸支され、矢印方向に回転駆動される。感光ドラム１１ａ〜１１ｄの外周面に対向してその回転方向に一次帯電器１２ａ、１２ｂ、１２ｃ、１２ｄ、光学系１３ａ、１３ｂ、１３ｃ、１３ｄ、現像装置１４ａ、１４ｂ、１４ｃ、１４ｄが配置されている。一次帯電器１２ａ〜１２ｄにおいて感光ドラム１１ａ〜１１ｄの表面に均一な帯電量の電荷を与える。
【００１１】
次いで光学系１３ａ〜１３ｄにより、記録画像信号に応じて変調した例えばレーザービームなどの光線を感光ドラム１１ａ〜１１ｄ上に露光させることによって、そこに静電潜像を形成する。さらに、イエロー、シアン、マゼンタ、ブラックといった４色の現像剤（トナー）をそれぞれ収納した現像装置１４ａ〜１４ｄによって上記静電潜像を顕像化する。顕像化された可視画像を中間転写体に転写する画像転写領域Ｔａ、Ｔｂ、Ｔｃ、Ｔｄの下流側では、クリーニング装置１５ａ、１５ｂ、１５ｃ、１５ｄにより転写材に転写されずに感光ドラム１１ａ〜１１ｄ上に残されたトナーを掻き落としてドラム表面の清掃を行う。以上に示したプロセスにより、各トナーによる画像形成が順次行われる。
【００１２】
給紙ユニット２０は，記録材Ｐを収納するためのカセット２１ａ・ｂおよび手差しトレイ２７、カセット内もしくは手差しトレイより記録材Ｐを一枚ずつ送り出すためのピックアップローラ２２ａ・ｂおよび２６、各ピックアップローラから送り出された記録材Ｐをレジストローラまで搬送するための給紙ローラ対２３及び給紙ガイド２４、そして画像形成部の画像形成タイミングに合わせて記録材Ｐを二次転写領域Ｔｅへ送り出すためのレジストローラ２５ａ、２５ｂから成る。
【００１３】
中間転写ユニット３０について詳細に説明する。中間転写ベルト３１（その材料として例えば、ＰＥＴ［ポリエチレンテレフタレート］やＰＶｄＦ［ポリフッ化ビニリデン］などが用いられる）は、中間転写ベルト３１に駆動を伝達する駆動ローラ３２、ばね（不図示）の付勢によって中間転写ベルト３１に適度な張力を与えるテンションローラ３３、ベルトを挟んで二次転写領域Ｔｅに対向する従動ローラ３４に巻回させる。これらのうち駆動ローラ３２とテンションローラ３３の間に一次転写平面Ａが形成される。駆動ローラ３２は金属ローラの表面に数ｍｍ厚のゴム（ウレタンまたはクロロプレン）をコーティングしてベルトとのスリップを防いでいる。駆動ローラ３２はパルスモータ（不図示）によって回転駆動される。各感光ドラム１１ａ〜１１ｄと中間転写ベルト３１が対向する一次転写領域Ｔａ〜Ｔｄには、中間転写ベルト３１の裏に一次転写ブレード３５ａ〜３５ｄが配置されている。従動ローラ３４に対向して二次転写ローラ３６が配置され、中間転写ベルト３１とのニップによって二次転写領域Ｔｅを形成する。二次転写ローラ３６は中間転写体に対して適度な圧力で加圧されている。
【００１４】
また、中間転写ベルト上、二次転写領域Ｔｅの下流には中間転写ベルト３１の画像形成面をクリーニングするためのクリーニング装置５０が配され、前記クリーニング装置５０は、クリーナーブレード５１（材質としては、ポリウレタンゴムなどが用いられる）および廃トナーを収納する廃トナーボックス５２から成る。
定着ユニット４０は、内部にハロゲンヒーターなどの熱源を備えた定着ローラ４１ａとそのローラに加圧される４１ｂ（このローラにも熱源を備える場合もある）、及び上記ローラ対のニップ部へ転写材Ｐを導くためのガイド４３、また、上記ローラ対から排出されてきた転写材Ｐをさらに装置外部に導き出すための内排紙ローラ４４、外排紙ローラ４５などから成る。制御ユニットは、上記各ユニット内の機構の動作を制御するための制御基板７０や、モータドライブ基板（不図示）などから成る。
【００１５】
次に装置の動作に即して説明を加える。画像形成動作開始信号が発せられると、まずピックアップローラ２２ａにより、カセット２１ａから転写材Ｐが一枚ずつ送り出される。そして給紙ローラ対２３によって転写材Ｐが給紙ガイド２４の間を案内されてレジストローラ２５ａ、２５ｂまで搬送される。その時レジストローラは停止されており、紙先端はニップ部に突き当たる。その後、画像形成部が画像の形成を開始するタイミングに合わせてレジストローラは回転を始める。この回転時期は、転写材Ｐと画像形成部より中間転写ベルト上に一次転写されたトナー画像とが二次転写領域Ｔｅにおいてちょうど一致するようにそのタイミングが設定されている。
【００１６】
一方画像形成部では、画像形成動作開始信号が発せられると、前述したプロセスにより中間転写ベルト３１の回転方向において一番上流にある感光ドラム１１ｄ上に形成されたトナー画像が、高電圧が印加された一次転写用帯電器３５ｄによって一次転写領域Ｔｄにおいて中間転写ベルト３１に一次転写される。一次転写されたトナー像は次の一次転写領域Ｔｃまで搬送される。そこでは各画像形成部間をトナー像が搬送される時間だけ遅延して画像形成が行われており、前画像の上にレジストを合わせて次のトナー像が転写される事になる。以下も同様の工程が繰り返され、結局４色のトナー像が中間転写ベルト３１上において一次転写される。
【００１７】
その後記録材Ｐが二次転写領域Ｔｅに進入、中間転写ベルト３１に接触すると、記録材Ｐの通過タイミングに合わせて二次転写ローラ３６に、高電圧を印加させる。そして前述したプロセスにより中間転写ベルト上に形成された４色のトナー画像が記録材Ｐの表面に転写される。その後記録材Ｐは搬送ガイド４３によって定着ローラニップ部まで正確に案内される。そしてローラ対４１Ａ、４１Ｂの熱及びニップの圧力によってトナー画像が紙表面に定着される。その後、内外排紙ローラ４４、４５により搬送され、紙は機外に排出される。
【００１８】
次に、図２で述べた、画像形成装置の複写動作を設定する操作部（不図示）を図３にしたがって述べる。図３において、６２１は電源が入っていることを示すパワーランプである。６１３のパワースイッチにより、電源のＯＮ／ＯＦＦの切り替えにあわせ、６２１は点灯、消灯をする。６２２はテンキーであり、画像形成枚数の設定やモード設定の数値入力に使用する。６２５はクリアーキーであり、テンキーで入力した設定のクリアーをする。６１６はリセットキーであり、設定された画像形成枚数や動作モードや選択給紙段等のモードを既定に戻すためのものである。６１４はスタートキーであり、このスタートキー６１４の押下により画像形成動作を開始する。
【００１９】
スタートキー６１４の中央にはスタート可能か否かを示す赤色とグリーンのＬＥＤ（不図示）があり、スタートができない場合は、赤色のＬＥＤが点灯し、スタート可能な場合はグリーンのＬＥＤが点灯する。６１５はストップキーであり、複写動作の停止を行うために使用する。６１７はガイドキーであり、このキーを押下した後に、他のキーを押下すると、そのキーにより設定できる機能の説明が表示パネルに表示される。このガイド表示を解除する場合は、再度ガイドキー６１７を押下することで行う。６１８はユーザー設定キーであり、このキーを押下すると画像形成装置の設定をユーザーが変更可能になる。
【００２０】
ユーザーが変更できる設定は、例えば、自動的に設定をクリアーするまでの時間や、リセットキーを押下した時のモードの既定値の設定等である。６１９は割り込みキーであり、画像形成動作中にこのキーを押下すると、他の画像形成動作を中止して、コピーを行うことができる。６２０は液晶等で構成される表示パネルであり、詳細なモード設定を容易にするべく、設定モードに応じて表示内容が変わる。
【００２１】
又、表示パネルの表面はタッチセンサーになっている。図３の例では、複写動作モードの設定画面の例を示している。図３では、表示パネル６２０内に６２４〜６３２のキーを表示しており、このキーの表示の位置を触れることでキーの押下を判断して、モードを設定する。６２７は用紙段の選択キーであり、このキーを押下すると、カセット２１ａ・ｂのいずれから給紙を行うかを設定する表示を表示パネル６２０に行う。６２８〜６３１は複写動作の複写倍率を設定するキーである。６２６は応用モードの設定キーであり、このキーを押下すると、多重動作や縮小レイアウトモード、表紙・合紙モード等の応用機能モードの設定する画面が表示パネルに表示され、応用機能モードの設定キーの表示がされ、応用モードの設定を可能にする。
【００２２】
６２４は両面動作の設定キーであり、例えば、片面原稿から両面出力を行う「片−両モード」、両面原稿から両面出力を行う「両−両モード」、両面原稿から２枚の片面出力を行う「両−片モード」の４種類の両面モードの設定を行う。６２５はソートキーであり、このキーの押下でフィニッシャーの動作モードの設定や、画像メモリを用いての出力紙の仕分けモード設定する。表示パネル内のキーの表示は通常の表示の他に、表示のキーのモードが設定できない場合は、表示の線を点線（網掛け）にすることで、そのキーが操作できない事をあらわすようになっている。表示パネル６２０内の応用モードキー６２６の横に、ユーザーにより変更可能なキーがあり、応用モードの設定画面で設定できる機能のキーを最大２つまで登録可能である。応用モードの設定キーを図の位置に出して表示することで、その登録したモードの設定をより容易に行える様にすることができる。これらのキーを総称してお好み機能キーと呼ぶ。
【００２３】
次に図１に従って、本発明のイメージサーバのブロック図を説明する。図１の１は入力画像データを受信する画像入力処理部で、２は前記画像入力部１で受信した画像データに対して所定の画像処理（変倍、濃度変換、色変換など）を行う画像処理部、３は前記画像処理部で処理された画像データを送信する画像出力処理部、４は前記画像処理部２で処理された画像データを蓄積する記憶部、５は前記画像処理部２の処理モードを設定する設定部であり、複写動作の場合、図３の操作部で設定されたモードから画像処理部で行なう処理の設定データを作成して設定する。６は前記各部を制御する制御部である。画像入力部１には外部ＩＦからのデータや、原稿画像を走査して、電気信号に変換したデータが入力される。又、画像出力処理部３の出力データは、図２の画像形成装置１Ｐや、外部ＩＦ、ＣＲＴ等の表示装置のドライバ手段に出力される。
【００２４】
以上の構成のイメージサーバ装置において、従来の通常動作のように画像入力処理部１→画像処理部２→画像出力処理部３の順に画像データを転送して出力する以外の画像データを記憶する場合について説明する。まず、動作開始すると、画像入力処理部１は所定の手順により入力画像データを受信し、記憶部４に画像を記憶させる。
【００２５】
そして、設定部５により設定された画像処理モードにあわせて、画像処理部２は前記記憶部４から画像データを読み出して所定の画像処理を施し、画像出力処理部３へ画像データを転送する。前記画像出力処理部３では、前記画像処理部から転送されてくる画像データを所定の手順に従って出力する。
【００２６】
前記記憶部４は、前記画像処理部２から送られた画像データを記憶する。その際、制御部６は設定部５により設定された前記画像処理モードを、前期記憶部４に記憶させる画像データと対応付けて前記記憶部４に記憶させる。この時、設定部５により設定された画像処理モードはひとつ以上の画像でなるＪＯＢ単位で設定部５より設定されるが、記憶部４にはそれぞれの画像データ毎に対応つけて、それぞれ記憶される。又、画像データと対応されて記憶される設定データは、操作部で設定されるモードのデータだけでなく、例えば、色変換処理の閾値など画像処理のパラメータも一緒に記憶する。
【００２７】
次に、前記記憶部４に記憶された画像処理後の画像データの出力開始により、記憶部４は前記画像処理後の画像データを画像出力処理部３へ転送し、画像出力処理部３は所定の手順に従って前記画像データを出力する。次に、本発明の動作の制御フローを図４に従って説明する。
【００２８】
図４は画像形成開始時のフローチャートであり、メインのシーケンスより、一定時間毎に又は必要に応じて呼ばれる。図４ではまずステップｓ１１で画像処理の結果をプレビューで確認するか否かを判断する。ステップｓ１１でプレビューで確認しない場合は、ステップｓ１８へ移行する。ステップｓ１１で確認する場合は、ステップｓ１２へ移行する。ステップｓ１２では、１ページ目の画像データと画像処理データを記憶部４から読みだし、ステップｓ１３へ移行する。ステップｓ１３では、ステップｓ１２で記憶部４より読みだしたデータを画像処理部２に送り、処理設定データに従って、画像データを処理し、画像出力処理部３を通して、ＣＲＴなどの表示手段に送られる。この時、ＣＲＴなどの表示手段の特性による色味の違いなどをあわせるデータもあわせて画像処理部２で処理を行う。
【００２９】
次にステップｓ１４では、ステップｓ１３で画像出力処理部３を通してＣＲＴなどの表示手段に送られ、表示された画像で良いかどうか操作者が判断する。ステップｓ１４でこの処理で良くない場合は、ステップｓ１５へ移行する。ステップｓ１５では、モードの変更を行う。例えば、出力の色味を「赤色方向にシフトする」や、倍率を補正したり、又、記憶部４に処理設定といっしょに記憶された自動判定の閾値などのデータを変更する。ステップｓ１５で設定の変更が行われた場合は、ステップｓ１６へ移行し、記憶部４に変更された設定を保存して、ステップｓ１２に戻り、再度画像データと設定データを記憶部４から読みだして、画像処理部２で処理を行い、表示をする。このくり返しの処理は、ステップｓ１５でモード変更されるとすぐに行ってもよいし、全ての変更が終了した後に、行ってもよい。
【００３０】
ステップｓ１４でこの処理で良い場合は、ステップｓ１７へ移行する。ステップｓ１７では、表示を行ったページが最終ページであるか否かを判断する。最終ページで無い場合は、ステップｓ１２で読みだすページを次のページに変更して、ステップｓ１２に戻る。ステップｓ１７で最終ページである場合は、ステップｓ１８へ移行し、記憶部４から各ページの画像データと処理設定データを読みだし、画像処理部２で処理して、画像出力処理部３を通して、画像形成部に送られる。この時、画像形成部の特性による色味の違いなどをあわせるデータもあわせて処理データを補正して画像処理部２で処理を行う。これらの、画像出力処理部３から画像形成部に送られた画像出力を操作部で設定された必要部数まで行い、出口へ抜ける。
【００３１】
次に、試しプリントの場合の例を図５に従って説明する。図５は画像形成開始時のフローチャートであり、メインのシーケンスより、一定時間毎に又は必要に応じて呼ばれる。図５ではまずステップｓ２１で試しプリントモード、つまり、一部出力して、出力結果を確認した後に、設定された全ての出力を行うモードであるか否かを判断する。ステップｓ２１で試しプリントモードで無い場合は、ステップｓ２７へ移行する。ステップｓ２１で試しプリントモードである場合は、ステップｓ２２へ移行して、記憶部４に記憶されてる画像データと画像データと対応して、処理設定データを順次読みだし、画像処理部２で処理を行って、画像出力処理部３を通して、画像形成部に送られ一部出力する。この時、画像形成部の特性による色味の違いなどをあわせるデータもあわせて処理データを補正して画像処理部２で処理を行う。一部出力後ステップｓ２３へ移行し、出力したこの処理で良くない場合は、ステップｓ２４へ移行する。ステップｓ２４では、１ページ目の処理設定データを記憶部４から読みだして、モードの変更を行う。例えば、出力の色味を「赤色方向にシフトする」や、倍率を補正したり、又、記憶部４に処理設定といっしょに記憶された自動判定の閾値などのデータを変更する。
【００３２】
ステップｓ２４で、操作者がこのページの変更全て終了した場合は、ステップｓ２５へ移行し、今変更した処理設定を記憶部４にこのページの画像データと対応づけて記憶する。その後ステップｓ２６へ移行し、今設定変更したページが最終ページであるか否かを判断する。ステップｓ２６で最終ページでない場合には、ステップｓ２４に戻り、次のページの処理設定データを記憶部４から読みだして、設定変更を行う。ステップｓ２６で最終ページであった場合は、全てのページの変更が終了したので、ステップｓ２２に戻り、再度一部出力して、確認する。ステップｓ２３で、現在の処理設定で良い場合は、ステップｓ２７に移行し、記憶部４から各ページの画像データと処理設定データを読みだし、画像処理部２で処理して、画像出力処理部３を通して、画像形成部に送らる。この時、画像形成部の特性による色味の違いなどをあわせるデータもあわせて処理データを補正して画像処理部２で処理を行う。
【００３３】
これらの、画像出力処理部３から画像形成部に送られた画像出力を操作部で設定された必要部数まで行い、出口へ抜ける。次に、記憶部４の記憶されている画像を外部ＩＦ（不図示）を通して、外部に送信する場合の制御フローを図６に従って説明する。図６は外部ＩＦへのデータ送信時のフローチャートであり、メインのシーケンスより、一定時間毎に又は必要に応じて呼ばれる。図６では、ステップｓ３１では外部ＩＦを通して送信する画像と、画像データと対応して処理設定データを記憶部４から読みだす。その後、ステップｓ３２に移行して、ステップｓ３２では、外部ＩＦを通して送信する相手が、本発明のイメージサーバーと同じ機能を有する相手か否かを判断する。ステップｓ３２で同じ機能を有する相手で無い場合は、ステップｓ３３へ移行する。ステップｓ３３では、ステップｓ３１で読みだした画像データと処理設定データを画像処理部２へ送り、画像処理を実行し、ステップｓ３４で画像出力処理部３において、外部ＩＦでデータを通信するための符号か処理を行い、出力する。そして、ステップｓ３６へ移行し、外部ＩＦから符号かしたデータを送信する。ステップｓ３２で、同じ機能を有する相手の場合は、ステップｓ３５へ移行する。
【００３４】
ステップｓ３５では、ステップｓ３１で読みだした画像データと画像に対応した処理設定データのデータであることを情報としてつけて符号化する。そして、ステップｓ３６へ移行し、送信する。外部ＩＦよりデータを受信した場合、画像入力処理部１で複合化を行い、データが画像データと処理設定データである場合（送信相手が、本発明のイメージサーバーと同じ機能をもつ）は、それぞれを記憶部４に対応づけて記憶する。複合したときに、画像データのみの場合は、その画像データを記憶部４で記憶するとともに、画像に対応した処理設定データにＮＵＬＬを設定する。
【００３５】
外部ＩＦより受信したデータを出力する場合は、前述の図４，５で説明したとおりであり、記憶部４から画像データを読みだして、画像に対応した処理データに本機の特性をあわせて画像処理部２で画像処理を行い、画像形成する。その時、処理設定データを操作者が変更することで、画像処理を変更、調整可能である。
【００３６】
【発明の効果】
以上説明してきたように、画像記憶部に画像処理前の画像と画像ページ毎に画像処理設定を記憶し、前記画像データと画像処理設定を送信し、データを受信した画像形成装置は、画像データに画像処理設定と画像形成装置の特性より決まるデータ設定で画像処理を施すことで、データを送信して出力しても同じ出力を得ることが可能になる。
【図面の簡単な説明】
【図１】本発明の実施例を示した図面
【図２】本発明の画像形成装置
【図３】画像形成装置の操作部
【図４】本発明のフローチャート１
【図５】本発明のフローチャート２
【図６】本発明のフローチャート３
【図７】従来のイメージサーバ装置の構成を示した図面
【符号の説明】
１　画像入力処理部
２　画像処理部
３　画像出力処理部
４　記憶部
５　設定部
６　制御部
【図１】
2004032614.tif 000003
【図２】
2004032614.tif 000004
【図３】
2004032614.tif 000005
【図４】
2004032614.tif 000006
【図５】
2004032614.tif 000007
【図６】
2004032614.tif 000008
【図７】
2004032614.tif 000009